(57)【要約】    【課題】トラック本数、ヘッド本数が増大するに従って、サーボ信号の欠陥位置管理は複雑な計算と管理のためのメモリ消費量が増大する傾向にある。一方で、サーボ信号記録領域に存在する突起やごみ等の欠陥が、データ記録領域に移動して欠陥を拡大するという問題がある。    【解決手段】磁気ディスク装置１００は、サーボ信号欠陥検出時にリード禁止状態に設定されている。データブロックを０から順次読み出していくと（図４Ａ）、データブロック５でサーボ信号欠陥を検出し、リードエラーが発生する。自動交替が許可されている状態では、リトライ動作時にリード禁止状態を解除し、この後、リトライ動作により、エラーの発生したデータブロック５を読み出し、交替領域のトラックにある未使用データブロックにデータを再配置する（図４Ｃ―図４Ｆ）。【選択図】図１
2007073110.tif 000002
【特許請求の範囲】
【請求項１】
サーボ信号記録領域と該サーボ信号記録領域に続くデータ記録領域を有するトラックを複数有する磁気ディスクと、
該磁気ディスクを装着し、回転させるスピンドルモータと、
前記磁気ディスクに対してデータの記録を行う記録ヘッドと、データのリードを行うＭＲヘッドを有する磁気ヘッドと、
該磁気ヘッドを支持し、前記磁気ディスクの所望のトラックに位置付けするキャリッジと、
前記スピンドルモータ、前記磁気ヘッド及び前記キャリッジを制御する制御部と、を有し、
前記制御部は、前記磁気ヘッドからのリード信号にサーボ信号欠陥を検出した場合、前記磁気ディスクに対するリードを禁止してリードエラーを発生させ、
前記リードエラー発生後のリトライ動作時に、前記リード禁止を解除して前記磁気ディスクのデータ記録領域のデータをリードし、
前記リードしたデータを前記磁気ディスクに予め用意された交替領域に再配置することを特徴とする磁気ディスク装置。
【請求項２】
前記交替領域は、前記複数のトラックのうちの一部であることを特徴とする請求項１記載の磁気ディスク装置。
【請求項３】
前記データ記録領域は複数のデータブロックで構成され、前記データの再配置は前記データブロック毎に行われることを特徴とする請求項１記載の磁気ディスク装置。
【請求項４】
前記データの再配置は、リードデータを上位装置に転送する必要のないコマンドを実行中に行うことを特徴とする請求項１記載の磁気ディスク装置。
【請求項５】
前記コマンドは、ベリファイコマンド、ライトアンドベリファイコマンド、フォーマットコマンド及びリアサインコマンドであることを特徴とする請求項４記載の磁気ディスク装置。
【請求項６】
前記データの再配置は、アイドル状態のときに行うことを特徴とする請求項１記載の磁気ディスク装置。
【請求項７】
前記データの再配置は、バックグラウンド動作中に行うことを特徴とする請求項１記載の磁気ディスク装置。
【請求項８】
前記バックグラウンド動作は、診断コマンドの実行であることを特徴とする請求項７記載の磁気ディスク装置。
【請求項９】
前記サーボ信号欠陥は、前記サーボ信号記録領域に存在する突起あるいはゴミに前記ＭＲヘッドが接触した際に発生するＴＡ信号から検出することを特徴とする請求項１記載の磁気ディスク装置。
【請求項１０】
サーボ信号記録領域と該サーボ信号記録領域に続くデータ記録領域を有するトラックを複数有する磁気ディスクと、
該磁気ディスクを装着し、回転させるスピンドルモータと、
前記磁気ディスクに対してデータの記録を行う記録ヘッドと、データのリードを行うＭＲヘッドを有する磁気ヘッドと、
該磁気ヘッドを支持し、前記磁気ディスクの所望のトラックに位置付けするキャリッジと、
前記スピンドルモータ、前記磁気ヘッド及び前記キャリッジを制御する制御部と、を有し、
前記制御部は、前記磁気ヘッドからのリード信号にサーボ信号欠陥を検出した場合、前記磁気ディスクに対するリードを禁止してリードエラーを発生させ、
前記リードエラーのリトライ動作時に、前記リード禁止を解除して前記磁気ディスクのデータ記録領域のデータをリードし、
前記リードしたデータを前記上位装置に送信後、当該データを前記磁気ディスクに予め用意された交替領域に再配置することを推奨するメッセージを前記上位装置に報告することを特徴とする磁気ディスク装置。
【請求項１１】
前記制御部は、前記上位装置からリアサインコマンドを受領した際に、該コマンドを実行することにより前記リードしたデータを前記磁気ディスクに予め用意された交替領域に再配置することを特徴とする請求項１０記載の磁気ディスク装置。
【請求項１２】
前記交替領域は、前記複数のトラックのうちの一部であることを特徴とする請求項１１記載の磁気ディスク装置。
【請求項１３】
前記データ記録領域は複数のデータブロックで構成され、前記データの再配置は前記データブロック毎に行われることを特徴とする請求項１１記載の磁気ディスク装置。
【請求項１４】
前記データの再配置は、リードデータを前記上位装置に転送する必要のないコマンドを実行中に行うことを特徴とする請求項１１記載の磁気ディスク装置。
【請求項１５】
前記コマンドは、ベリファイコマンド、ライトアンドベリファイコマンド、フォーマットコマンド及びリアサインコマンドであることを特徴とする請求項１４記載の磁気ディスク装置。
【請求項１６】
前記データの再配置は、アイドル状態のときに行うことを特徴とする請求項１１記載の磁気ディスク装置。
【請求項１７】
前記データの再配置は、バックグラウンド動作中に行うことを特徴とする請求項１１記載の磁気ディスク装置。
【請求項１８】
前記バックグラウンド動作は、診断コマンドの実行であることを特徴とする請求項１７記載の磁気ディスク装置。
【請求項１９】
前記サーボ信号欠陥は、前記サーボ信号記録領域に存在する突起あるいはゴミに前記ＭＲヘッドが接触した際に発生するＴＡ信号から検出することを特徴とする請求項１０記載の磁気ディスク装置。
【請求項２０】
サーボ信号記録領域と該サーボ信号記録領域に続くデータ記録領域を有するトラックを複数有する磁気ディスクと、
該磁気ディスクを装着し、回転させるスピンドルモータと、
前記磁気ディスクに対してデータの記録を行う記録ヘッドと、データのリードを行うＭＲヘッドを有する磁気ヘッドと、
該磁気ヘッドを支持し、前記磁気ディスクの所望のトラックに位置付けするキャリッジと、
前記スピンドルモータ、前記磁気ヘッド及び前記キャリッジを制御する制御部と、を有し、
前記制御部は、前記磁気ヘッドのリード信号にサーボ信号欠陥を検出した場合、次の欠陥の無いサーボ信号が検出できるまでの区間、データのリードを禁止し、
自動交替禁止状態では、サーボ信号欠陥検出後のリトライ動作中は、前記サーボ信号欠陥検出によるリード禁止状態を解除して、データのリードを行い、リードデータを前記上位装置に送出後、当該データを前記磁気ディスクに予め用意された交替領域に再配置することを推奨するメッセージを報告し、
自動交替許可状態においては、サーボ信号欠陥検出後のリトライ動作中は、サーボ信号欠陥検出によるリード禁止状態を解除して、データのリードを行い、リードしたデータを前記交替領域に再配置することを特徴とする磁気ディスク装置。
【発明の詳細な説明】
【技術分野】
【０００１】
本発明は、磁気ディスク装置のデータ記録領域の交替処理に係り、特に、サーボ信号に欠陥がある場合のデータの再配置処理に関する。
【背景技術】
【０００２】
従来の磁気ディスク装置においては、例えば、特許文献１に記載されているように、サーボ信号に欠陥がある場合に、当該トラック番号、セクタ番号をメモリに登録しておき、シーク時にターゲットとなるトラック番号がメモリに登録されているトラック番号と一致した場合、シーク制御からフォローイング制御に切り換えるときからメモリに登録されているセクタ番号のセクタを使用することなくサーボ制御を行い、１トラックに存在するサーボ信号欠陥が一定の範囲を超えた場合に、トラック交替処理を行っている。
【０００３】
また、近年の磁気ディスク装置では、高密度化のために、磁気ヘッドの再生素子として高感度の磁気抵抗（ＭＲ）素子が採用されている。ＭＲ素子の採用により、磁気ディスク媒体上に存在する微小な突起が磁気ディスク装置の稼動中に成長した場合、ＭＲ素子との接触によりサーマルアスペリティ（ＴＡ）が発生し、リードエラーの原因となっている。成長する突起によるＴＡの発生によって生ずるリードエラーを回避する方法として、特許文献２には、ＭＲ素子の出力からＴＡを検知する機能を付加することにより、軽微なＴＡを検出できるようにし、磁気ディスク媒体上の突起が大きく成長してリードエラーになってしまう前に、そのＴＡが発生した箇所に記録されているデータを、即座に、予め用意してある領域に退避させる方法が開示されている。
【０００４】
【特許文献１】特開平１１−３５３８２９号公報
【特許文献２】特開平１０−３６０３号公報
【発明の開示】
【発明が解決しようとする課題】
【０００５】
上記特許文献１に記載されているように従来の技術は、基本的に、サーボ信号に欠陥がある場合は、そのセクタを使用しないというものである。また、特許文献１に記載のトラック後退処理を、ＭＲ素子を用いたリードヘッドとデータ記録のためのライトヘッドを有する磁気ディスク装置に採用した場合、リードヘッドとライトヘッドの位置が異なることや、トラック密度が高まるにつれ、欠陥管理に要する計算が複雑になり、メモリの容量が増大してコストが高くなるという問題がある。上記特許文献２に記載されている技術は、軽微なＴＡの原因となる突起がある場合、この突起が成長してリードエラーになってしまう前に、ＴＡが発生した箇所に記録されているデータを、即座に、予め用意してある領域に退避させるものであり、サーボ信号記録領域に欠陥がある場合については言及されていない。
本発明の目的は、サーボ信号欠陥を管理することなく、簡便な方法で、データ再配置を実施することにある。
本発明の他の目的は、サーボ信号部分の欠陥が、データ記録領域に波及する前に、データを再配置することにより、データの消失を未然に防止することにある。
【課題を解決するための手段】
【０００６】
上記目的を達成するための本発明の代表的な磁気ディスク装置は、ハードディスクコントローラ（ＨＤＣ）の制御により、サーボ信号上に欠陥を検出した場合に、その後、欠陥の無いサーボ信号が検出できるまでの区間、データの再生を禁止することによりリードエラーを発生させるモードを設定することができる。また、本動作モードを停止し、当該区間でもデータの再生を許可することができる。ＨＤＣは、上位装置（ホスト）からの指示を受け、本動作モードのオン/オフを制御し、リードエラー発生時のリトライ動作を制御し、自動交替禁止状態では、サーボ信号欠陥検出時にリードエラーをホストに報告し、サーボ信号欠陥検出後のリトライ動作中は、サーボ信号欠陥検出によるリード禁止状態を解除して、リードを行い、データ送出後、交替を推奨するメッセージを合わせてホストに報告する。自動交替許可状態においては、サーボ信号欠陥検出後のリトライ動作中は、サーボ信号欠陥検出によるリード禁止状態を解除して、リードを行い、リードしたデータを、予備の交替領域に交替する処理を行う。
【発明の効果】
【０００７】
本発明によれば、サーボ信号欠陥を管理することなく、簡便な方法で、データ再配置を実施することができる。また、サーボ信号記録領域の欠陥部分が拡大し、データ記録領域に広がってしまう前に、予防的にデータブロックの再配置を実施することにより、データの消失を未然に防ぎ、データの信頼性を高度に維持することが可能となる。
【発明を実施するための最良の形態】
【０００８】
以下、図面を参照して本発明の一実施例を詳細に説明する。図２は磁気ディスク装置１００のブロック図を示す。２はデータ記録再生用媒体(以下磁気ディスクと略す)であり、４は磁気ディスク２に記録されたデータを読み出すための再生ヘッド（ＭＲヘッド）とデータ記録ヘッドを有する磁気ヘッドである。６は磁気ディスク２を装着し回転させるためのスピンドルモータである。８は磁気ヘッド４を支えるキャリッジであり、１０はキャリッジ８の揺動運動を制御する為のボイスコイルモータ(以下ＶＣＭと略す)である。１２は記録データの復調・変調を行うエンコーダ／デコーダ（以下Ｒ／Ｗプロセッサと略す）であり、Ｒ／Ｗプロセッサ１２は復調された信号からサーボ信号とユーザデータとを弁別し、サーボ番号及びトラック番号を復調してマイクロプロセッサ（以下ＭＰＵと略す）１４に通知する機能と、ユーザデータをバッファメモリ１６と授受する機能を有する。
【０００９】
ＭＰＵ１４は、通知を受けたトラック番号、サーボ番号から磁気ヘッド４の位置制御に必要な駆動電流量を算出し、その量をＤ／Ａコンバータ１８に設定する。Ｄ／Ａコンバータ１８は設定された値に対応する電圧に変換して、ＶＣＭドライバ２０に伝送する。ＶＣＭドライバ２０はこの電圧を電流に変換してＶＣＭ１０を駆動する。またＭＰＵ１４はモータの回転制御に必要な制御値を算出し、モータドライバ２２を通じてスピンドルモータ６の制御を行う。
【００１０】
ＭＰＵ１４は、制御部であるハードディスクコントローラ（以下ＨＤＣと略す）２４からデータ記録あるいは再生の指示を受け、キャリッジ８を駆動し、Ｒ／Ｗプロセッサ１２にユーザデータ記録あるいは再生の為の周波数設定などを行い、プリアンプ２６に対して、選択する磁気ヘッド及び、ＭＲヘッドに印加するバイアス電流の設定、データ記録時に使用する記録電流量を設定する。またＭＰＵ１４はキャリッジ８の移動が完了する前に、データの記録あるいは再生に応じて、ＨＤＣ２４とバッファメモリ１６、Ｒ／Ｗプロセッサ１２、プリアンプ２６間のデータの流れる方向を決定する。
【００１１】
図３は磁気ディスク２の概略を示す。磁気ディスク装置１００には複数枚の磁気ディスク２が搭載され、それぞれの磁気ディスク上には同心円状に配置された複数のトラック０〜Ｎが存在する。
【００１２】
図４Ａ〜図４Ｆに磁気ディスク２のサーボ信号記録領域に欠陥を含んだユーザ領域のトラックと交替領域のトラックの構成を示す。３ａはサーボ信号記録領域であり、３ｂは特に欠陥部分を含んだサーボ信号記録領域を示す。３ｃは複数のデータブロックからなるデータ記録領域を示し、３ｄは未使用の複数のデータブロックからなる交替用データ記録領域を示す。３ｅは、リードエラーとなるデータブロックを示す。サーボ信号記録領域の欠陥とは、サーボ信号記録領域の磁性膜が欠落した部分、サーボ信号記録領域に存在する突起、あるいはサーボ信号記録領域に付着したゴミ等であり、特に突起とゴミは磁気ヘッドが接触した場合、磁気ヘッドに挟み込まれて、サーボ信号記録領域に隣接するデータ記録領域まで引きずられ、データ記録領域の欠陥となる可能性がある。突起とゴミによる欠陥は、磁気ヘッドのＭＲヘッドが接触したときに発生するＴＡを監視することにより検出することができる。
【００１３】
磁気ディスク装置１００は、ＨＤＣ２４の制御により、サーボ信号上に欠陥を検出した場合に、その後、欠陥の無いサーボ信号が検出できるまでの区間、データの再生を禁止することによりリードエラーを発生させるモードを設定することができる。また、本動作モードを停止し、当該区間でもデータの再生を許可することができる。ＨＤＣ２４は、ホストからの指示を受け、本動作モードのオン/オフを制御し、リードエラー発生時のリトライの挙動を制御し、自動交替禁止状態では、サーボ信号欠陥検出時にリードエラーをホストに報告し、サーボ信号欠陥検出後のリトライ動作中は、サーボ信号欠陥検出によるリード禁止状態を解除して、リードを行い、データ送出後、交替を推奨するメッセージを合わせてホストに報告する。自動交替許可状態においては、サーボ信号欠陥検出後のリトライ動作中は、サーボ信号欠陥検出によるリード禁止状態を解除して、リードを行い、リードしたデータを、予備の交替領域に交替する処理を行う。
【００１４】
図１に上記磁気ディスク装置１００における、サーボ信号欠陥検出時のデータ再配置処理の流れ図を示す。以下、図１及び図４Ａ乃至図４Ｆを参照してサーボ信号欠陥検出時のデータ再配置処理を説明する。図４Ａは、データの再配置が実施される直前のデータの配置を示す。磁気ディスク装置１００は、サーボ信号欠陥検出時にリード禁止状態に設定されている（ステップ１０１）。この状態で、リード命令によりデータブロックを０から順次読み出していくと、図４Ｂに示す様にデータブロック５（３ｅ）でサーボ信号欠陥を検出し、リードエラーが発生する（ステップ１０２）。ステップ１０３において自動交替が許可されているか否かを判定し、自動交替が許可されている状態では、リトライ動作時にリード禁止状態を解除する（ステップ１０４）。この後、リトライ動作により、エラーの発生したデータブロック５を読み出し（ステップ１０５）、図４Ｃに示すように、交替領域のトラックにある未使用データブロックにデータを再配置する（ステップ１０６）。図４Ｄ、図４Ｅは、データブロック５の再配置後にデータブロック６でサーボ信号欠陥を検出してリードエラーが発生し、リトライ動作によりデータブロック６を読み出して交替領域のトラックにある未使用データブロックにデータを再配置している状態を示す。これらの動作を繰り返すことにより、図４Ａに示すデータ配置は、最終的に図４Ｆに示すようなデータ再配置になる。
【００１５】
上記の制御を行うことで、サーボ信号記録領域に存在する突起やゴミなどの欠陥が、データ記録領域に移動してしまう前に、予防的にデータブロックの再配置を実施することにより、データの消失を未然に防ぎ、データの信頼性を高度に維持することが可能となる。また、サーボ信号記録領域の欠陥をメモリ上で管理する必要もないため、サーボ欠陥位置から、データブロック位置を算出する計算も軽減、あるいは無くすことが可能となり、低コストで磁気ディスク装置を構成することが可能となる。
【００１６】
以上は、データの自動交替が許可されている、例えばＩＮＣＩＴＳ  ＳＣＳＩ−３に規定されるＭｏｄｅ  Ｐａｒａｍｅｔｅｒのページ１のＡＲＲＥ＝１の状態における挙動である。
【００１７】
ＡＲＲＥ＝０即ち、自動交替が許可されていない設定状態では、自動で再配置は行わず、サーボ信号欠陥を検出した際に、リード禁止・許可を、別に用意したコマンドにて、ホストが設定可能なようにし、Ｍｏｄｅ  Ｐａｒａｍｅｔｅｒのページ１のＰＥＲ＝１の設定の場合には、図１のステップ１０７に示す通り、リトライ動作前にリード禁止状態を解除し、データを読み出し（ステップ１０８）、ポストエラーモードであれば（ステップ１０９）、例えば、ＡＳＣ（Ａｄｄｉｔｉｏｎａｌ  Ｓｅｎｓｅ  Ｃｏｄｅ）＝１７ｈ、ＡＳＣＱ（Ａｄｄｉｔｉｏｎａｌ  Ｓｅｎｓｅ  Ｃｏｄｅ  Ｑｕａｌｉｆｉｅｒ）＝０７ｈに示されるような
RECOVERED DATA WITHOUT ECC - RECOMMEND REASSIGNMENT
メッセージをホストに送信し（ステップ１１０）、ホスト側が、予防的再配置を実行可能なように動作する。ホストはこの後リアサインコマンドにて、再配置を実施することが可能で、このコマンド実行後に図４Ｂの状態から図４Ｃに示す状態に移行する。これらの動作を繰り返すことで、図４Ａに示すデータ配置は、同様に、最終的に図４Ｆに示すようなデータ配置になる。
【００１８】
上記の交替制御は、ホストにデータを転送する際には、例えば図４Ａに示すような状態の場合、対象データブロックが６個あるので、少なくとも磁気ディスクの６周分のデータ転送完了遅れ時間が発生してしまう恐れがある。そこで、これまでに述べて来た様な再配置の処理は、ホストにデータを転送する必要のあるリードコマンドでは実施せず、ホストにデータ転送の必要の無いベリファイコマンド、ライトアンドベリファイコマンド、フォーマットコマンド、リアサインコマンドなどに限り実施するようにすることが望ましい。またその他には、アイドル中に実施する、あるいは、診断コマンド（センドダイゴノスティックスコマンド）で実施することもできる。
【００１９】
図５Ａ乃至図５Ｃは、上記磁気ディスク装置１００の、欠陥のあるサーボ信号検出後のリードゲートの挙動を示す。図５Ａの上段には、下段の読み出し波形の欠陥の無いサーボ信号部分を拡大して示してある。サーボ信号部分は、プリアンブル、アドレスマーク、バーストＡ〜Ｄで構成されている。図５Ｂの上段は、図５Ａに続く欠陥を含んだサーボ信号部分を拡大して示したものである。図５Ｃは、欠陥サーボに続くデータの読み出しを示す。欠陥サーボを検出したことによるリード禁止動作により、リードゲートが中断しリードエラーとなることを示している。
【００２０】
図６は、欠陥のあるサーボ信号検出後もリードを禁止しない場合のリードゲートの挙動を示す。リードゲートが中断されないため、正常にデータを読み出していることがわかる。
【００２１】
以上の説明のとおり、本発明の実施例によれば、サーボ信号記録領域の欠陥位置をメモリ上で管理する必要が無いため、欠陥管理のためのメモリを不要とし、サーボ欠陥位置から、データブロック位置を算出する計算を軽減、あるいは無くすことが可能となり、低コストで磁気ディスク装置を構成することが可能となる。また、サーボ信号記録領域の欠陥部分が拡大し、データ記録領域に広がってしまう前に、予防的にデータブロックの再配置を実施することにより、データの消失を未然に防ぎ、データの信頼性を高度に維持することが可能となる。
【図面の簡単な説明】
【００２２】
【図１】本発明の一実施例による磁気ディスク装置におけるサーボ信号欠陥検出時のデータ再配置処理の流れ図である。
【図２】本発明の一実施例による磁気ディスク装置のブロック構成図である。
【図３】磁気ディスクのトラックの配置を示す図である。
【図４Ａ】磁気ディスクのサーボ信号記録領域に欠陥を含んだユーザ領域のトラックと、交替領域のトラックの構成を示す図である。
【図４Ｂ】サーボ信号欠陥検出後のデータブロックの再配置を説明するための図である。
【図４Ｃ】サーボ信号欠陥検出後のデータブロックの再配置を説明するための図である。
【図４Ｄ】サーボ信号欠陥検出後のデータブロックの再配置を説明するための図である。
【図４Ｅ】サーボ信号欠陥検出後のデータブロックの再配置を説明するための図である。
【図４Ｆ】サーボ信号欠陥検出後のデータブロックの再配置を説明するための図である。
【図５Ａ】読み出し信号波形と、欠陥の無いサーボ信号部分の拡大波形と、リードゲート波形を示す図である。
【図５Ｂ】読み出し信号波形と、欠陥を含んだサーボ信号部分の拡大波形と、リードゲート波形を示す図である。
【図５Ｃ】読み出し信号波形と、欠陥を含んだサーボ信号部分の拡大波形と、リードゲート波形を示す図である。
【図６】読み出し信号波形と、欠陥を含んだサーボ信号部分の拡大波形と、リードゲート波形を示す図である。
【符号の説明】
【００２３】
２…磁気ディスク、
３ａ…サーボ信号記録領域、
３ｂ…欠陥部分を含んだサーボ信号記録領域、
３ｃ…データ記録領域、
３ｄ…未使用の交替用データ記録領域、
３ｅ…リードエラーとなるデータブロック、
４…磁気ヘッド、
６…スピンドルモータ、
８…キャリッジ、
１０…ＶＣＭ、
１２…Ｒ／Ｗプロセッサ、
１４…ＭＰＵ、
１６…バッファメモリ、
１８…Ｄ／Ａコンバータ、
２０…ＶＣＭドライバ、
２２…モータドライバ、
２４…ＨＤＣ（制御部）、
２６…プリアンプ、
２８…温度センサ。
【図１】
2007073110.tif 000003
【図２】
2007073110.tif 000004
【図３】
2007073110.tif 000005
【図４Ａ】
2007073110.tif 000006
【図４Ｂ】
2007073110.tif 000007
【図４Ｃ】
2007073110.tif 000008
【図４Ｄ】
2007073110.tif 000009
【図４Ｅ】
2007073110.tif 000010
【図４Ｆ】
2007073110.tif 000011
【図５Ａ】
2007073110.tif 000012
【図５Ｂ】
2007073110.tif 000013
【図５Ｃ】
2007073110.tif 000014
【図６】
2007073110.tif 000015